(57)【要約】【課題】  浄水器用の水栓を有効利用してアルカリイオン整水器などの水処理器に水を供給することができる給水アタッチメントの提供を目的とする。【解決手段】  浄水器用の水栓本体２の吐水用接続ネジ部１４に取付けられる流入口２３と、上記流入口２３に連通し、水処理器に対する接続ポート３４とを備えた給水アタッチメントであることを特徴とする。【選択図】  図２
2006009301.tif 000002
【特許請求の範囲】
【請求項１】
浄水器用の水栓本体の吐水用接続ネジ部に取付けられる流入口と、
上記流入口に連通し、水処理器に対する接続ポートとを備えた
給水アタッチメント。
【請求項２】
上記流入口が形成されたアタッチメント本体と、該アタッチメント本体の外周に回動可能に装着した外筒とを備え、外筒に上記接続ポートが形成された
請求項１記載の給水アタッチメント。
【請求項３】
上記流入口はナット構造に形成され、上記アタッチメント本体上部の筒部外周には上記流入口のナット構造に対応するネジ部が形成された
請求項２記載の給水アタッチメント。
【請求項４】
上記アタッチメント本体上部の筒部は流出口に設定され、
上記流入口と流出口とを連通する連通路には止水弁配設部が設けられた
請求項３記載の給水アタッチメント。
【請求項５】
アタッチメント本体と、該アタッチメント本体の外周に回動可能に装着した外筒とを備えてなる給水アタッチメントであって、
上記アタッチメント本体の下部には浄水器用の水栓本体の吐水用接続ネジ部に取付けられる流入口を形成し、アタッチメント本体の上部には吐水パイプに連通する流出口を形成する一方、
上記外筒には流入口と流出口とにそれぞれ別々に連通する水処理器用の接続ポートが形成された
給水アタッチメント。
【発明の詳細な説明】
【技術分野】
【０００１】
この発明は、浄水器用の水栓本体に取付けるような給水アタッチメントに関する。
【背景技術】
【０００２】
従来、一般家庭等には図７に示すように浄水器専用の水栓９０を有する設置型の浄水器９１（浄水用カートリッジと同意）が多く用いられている。
【０００３】
同図に示す浄水器用水栓システムは、開閉手段としてのコック９２を有する水栓本体９３を、パッキング９４、ワッシャ９５、ナット９６を用いてシンク（いわゆる流し台）の天板９７に固定し、インレットパイプ９８から供給される水道水をコック９２にて流量調整した後に、アウトレットパイプ９９を介して浄水器９１に流入し、この浄水器９１にて浄化された浄化水を給水パイプ１００を介して水栓本体９３に供給した後に、吐水パイプとしてのスパウト１０１から流出させて使用に供するものである。
【０００４】
ところで、近年、健康および美容によいとされるアルカリイオン整水器などの水処理器が普及されつつあり、このような水処理器を接続して使用する場合には、図７に示す浄水器専用水栓からの接続が不可能であるため、シンクに既設されている湯水混合水栓や、水処理器接続用の特別構造を備えた給水栓を用いてアルカリイオン整水器などの水処理器との接続が行なわれ、結果的に図７に示す浄水器用水栓システムが不要となっていた。
【０００５】
この不要となった浄水器用水栓システムは取外すこともできるが、取外しには工事が必要で、かつ取外し後には、水栓本体９３を取付けていた穴がシンクの天板９７に残るので、見栄えの悪化を招く問題点があった。
【０００６】
特許文献１には一般的な浄水器用水栓システムが開示されていて、このシステムは図７で示した従来構造と大差がないので、上述と同様の問題点が発生する。
【０００７】
【特許文献１】特開２００４−１２４４４９号公報
【発明の開示】
【発明が解決しようとする課題】
【０００８】
この発明は、浄水器用の水栓を有効利用してアルカリイオン整水器などの水処理器に水を供給することができる給水アタッチメントの提供を目的とする。
【課題を解決するための手段】
【０００９】
この発明による給水アタッチメントは、浄水器用の水栓本体の吐水用接続ネジ部に取付けられる流入口と上記流入口に連通し、水処理器に対する接続ポートとを備えたものである。
【００１０】
上記構成によれば、給水アタッチメントを浄水器用の水栓本体の吐水用接続ネジ部に取付けると、原水は流入口から流入した後に、この流入口に連通する接続ポートから吐出されるので、この接続ポートにアルカリイオン整水器などの水処理器を接続すると、上述の浄水器用の水栓を有効利用して水処理器に水を供給することができる。
【００１１】
この発明の一実施態様においては、上記流入口が形成されたアタッチメント本体と、該アタッチメント本体の外周に回動可能に装着した外筒とを備え、外筒に上記接続ポートが形成されたものである。
【００１２】
上記構成によれば、外筒を回動することにより接続ポートの位置を任意に設定することができるので、水処理器の設置自由度の向上および接続ポートと水処理器とを接続するホース等の通路配設の自由度の向上を図ることができる。
【００１３】
この発明の一実施態様においては、上記流入口はナット構造に形成され、上記アタッチメント本体上部の筒部外周には上記流入口のナット構造に対応するネジ部が形成されたものである。
【００１４】
上記構成によれば、同一構造の給水アタッチメントを２つ設け、下側に位置する給水アタッチメントの筒部外周のネジ部に、上側に位置する給水アタッチメントのナット構造の流入口を取付けると、上下２段の給水アタッチメントを一体化することができる。
【００１５】
この発明の一実施態様においては、上記アタッチメント本体上部の筒部は流出口に設定され、上記流入口と流出口とを連通する連通路には止水弁配設部が設けられたものである。
【００１６】
上記構成によれば、上下２段構造と成した給水アタッチメントにおいて、下側の給水アタッチメントの連通路を止水弁にて閉鎖すると、下側に位置する給水アタッチメントの接続ポートは水処理器に原水を供給する供給口となり、上側に位置する給水アタッチメントの接続ポートは水処理器で生成された生成水の戻り口となり、上側の給水アタッチメントの流出口から、浄水器用水栓に既設の吐水パイプを介して生成水を吐出することができる。
【００１７】
この発明による給水アタッチメントはまた、アタッチメント本体と、該アタッチメント本体の外周に回動可能に装着した外筒とを備えてなる給水アタッチメントであって、上記アタッチメント本体の下部には浄水器用の水栓本体の吐水用接続ネジ部に取付けられる流入口を形成し、アタッチメント本体の上部には吐水パイプに連通する流出口を形成する一方、上記外筒には流入口と流出口とにそれぞれ別々に連通する水処理器用の接続ポートが形成されたものである。
【００１８】
上記構成によれば給水アタッチメントを浄水器用の水栓本体の吐水用接続ネジ部に取付けると、原水はアタッチメント本体下部の流入口から流入した後に、この流入口に連通する外筒の接続ポートから水処理器へ供給される。
【００１９】
水処理器で生成された生成水は外筒の他の接続ポートから流入し、アタッチメント本体上部の流出口を介して既設の吐水パイプから吐水され、使用に供することができる。
【００２０】
このように、上述の浄水器用の水栓を有効利用して水処理器に水を供給することができ、かつ水処理器にて生成された生成水を既存の吐水パイプから流出することができるうえ、外筒を回動することにより接続ポートの位置を任意に設定することができるので、水処理器の設置自由度の向上および接続ポートと水処理器とを接続するホース等の通路配設の自由度の向上を図ることができる。
【発明の効果】
【００２１】
この発明によれば、浄水器用の水栓を有効利用して、アルカリイオン整水器などの水処理器に水を供給することができる効果がある。
【発明を実施するための最良の形態】
【００２２】
浄水器用の水栓を有効利用して、アルカリイオン整水器などの水処理器に水を供給するという目的を、浄水器用の水栓本体の吐水用接続ネジ部に取付けられる流入口と上記流入口に連通し、水処理器に対する接続ポートとを備えた給水アタッチメントを構成することで実現した。
【実施例】
【００２３】
この発明の一実施例を以下図面に基づいて詳述する。  
図面は給水アタッチメントを示すが、まず図１を参照して給水アタッチメントが介設された状態の浄水器用水栓システムの全体構造について説明する。
【００２４】
この実施例の給水アタッチメント２０は浄水器専用の水栓１における水栓本体２とキャップ部材３との間に介設されるもので、浄水器用水栓システムは、開閉手段としてのコック４を有する上述の水栓本体２を、パッキング５，ワッシャ６，ナット７を用いてシンク（いわゆる流し台）の天板８に固定し、インレットパイプ９から供給される水道水をコック４にて流量調整した後に、アウトレットパイプ１０を介して浄水器１１（浄水用カートリッジと同意）に流入し、この浄水器１１にて浄化された浄化水を給水パイプ１２を介して水栓本体２（詳しくは後述する吐水用接続ネジ部１４内の通路１３）に供給するものである。
【００２５】
浄水器用の水栓本体２の上端部中央には、図２に示すように、その内部に原水Ｗの通路１３をもった吐水用接続ネジ部１４（従来構造においてキャップ部材３を螺合していたネジ部）が設けられている。
【００２６】
上述の水栓本体２とキャップ部材３との間に介設される給水アタッチメント２０は、図２に示すように中央部のアタッチメント本体２１と、このアタッチメント本体２１の外周に回動可能（３６０度回転自在）に装着した外筒２２とを備えている。
【００２７】
上述のアタッチメント本体２１の下部には吐水用接続ネジ部１４に取付けられるナット構造の流入口２３が形成され、アタッチメント本体２１の上部には、外筒２２の上端面に対して上方へ突出する筒部２４が一体形成され、この筒部２４の外周には流入口２３のナット構造に対応するネジ部２５が形成されている。つまり、このネジ部２５はナット構造の流入口２３のナット部、並びにキャップ部材３側のネジ孔１６（図３参照）の何れにも着脱可能に螺合し得るように構成されたものである。
【００２８】
上述の筒部２４内は流出口２６に設定されるが、この上側の流出口２６と下側の流入口２３とを上下方向（軸方向）に連通する連通路２７には、その通路壁から内方へ突出する環状のフランジ部２８を一体形成して、このフランジ部２８の上下を止水弁２９の配設部３０，３１に設定している。
【００２９】
また、各要素３１，２３間に対向するアタッチメント本体２１の外周部には輪溝３２が形成され、この輪溝３２と上述の連通路２７とを横孔３３にて連通させている。
【００３０】
さらに上述の外筒２２には輪溝３２を介して横孔３３に連通するように接続ポート３４が横方向（径方向）に向けて開口形成され、この接続ポート３４の外部には、接続部材（図示せず）を取付けることができるように、ネジ孔３５が設けられている。
【００３１】
上述の接続ポート３４はアルカリイオン整水器などの水処理器に対するポート（出入口）であって、図２の実施例においては、この接続ポート３４は水処理器に対する原水Ｗの供給口に設定される。
【００３２】
ここで、上述のアタッチメント本体２１の下端部と水栓本体２との間はＯリング溝に配設したＯリング３６でシールされ、輪溝３２の上下両部におけるアタッチメント本体２１の外周部と外筒２２の内周部との間はＯリング溝に配設したＯリング３７，３８でシールされる。
【００３３】
図２の実施例においては環状のフランジ部２８の直下の止水弁配設部３１に止水弁２９を固定して用いるものであり、浄水器用水栓システムの既存の吐水パイプとしてのスパウト１５は紛失等を防止するため、アタッチメント２０の上部に取付けることができる。なお、元に戻す場合にも、その変更が容易である。
【００３４】
図２に示すように、アタッチメント本体２１のナット構造の流入口２３を、水栓本体２の接続ネジ部１４に螺合固定し、給水アタッチメント２０を該水栓本体２の上端に直付け固定すると共に、外筒２２の接続ポート３４にホース等の通路部材を介して水処理器を接続すると、図１で示した給水パイプ１２からの原水Ｗは図２に示すように、接続ネジ部１４内の通路１３から流入口２３に流入した後に、横孔３３および輪溝３２を介して接続ポート３４に供給され、この接続ポート３４から矢印ＯＵＴで示すようにアルカリイオン整水器などの水処理器に給水される。なお、水処理器で生成された生成水は水処理器側の吐出パイプから吐出されるものである。
【００３５】
このように図１、図２で示した実施例の給水アタッチメント２０は、浄水器用の水栓本体２の吐水用接続ネジ部１４に取付けられる流入口２３と、この流入口２３に連通し、水処理器に対する接続ポート３４とを備えたものである。
【００３６】
この構成によれば、給水アタッチメント２０を浄水器用の水栓本体２の吐水用接続ネジ部１４に取付けると、原水Ｗは流入口２３から流入した後に、この流入口２３に連通する接続ポート３４から吐出されるので、この接続ポート３４にアルカリイオン整水器などの水処理器を接続すると、上述の浄水器用の水栓１を有効利用して水処理器に水を供給することができる。
【００３７】
また、上記流入口２３が形成されたアタッチメント本体２１と、該アタッチメント本体２１の外周に回動可能に装着した外筒２２とを備え、外筒２２に上記接続ポート３４が形成されたものである。
【００３８】
この構成によれば、外筒２２を回動することにより接続ポート３４の位置を任意に設定することができるので、水処理器の設置自由度の向上および接続ポート３４と水処理器とを接続するホース等の通路配設の自由度の向上を図ることができる。
【００３９】
なお、図１において浄水器１１を使用しない場合には、アウトレットパイプ１０の出口と給水パイプ１２の入口とをバイパス通路にて接続してもよい。  
図３は給水アタッチメントの他の実施例を示し、図２で示した給水アタッチメント２０と同一構造の２つの給水アタッチメント２０Ａ，２０Ｂを設け、これら両アタッチメント２０Ａ，２０Ｂを上下２段に連結したものである。
【００４０】
すなわち、下側に位置する給水アタッチメント２０Ａのアタッチメント本体２１におけるナット構造の流入口２３を、水栓本体２の接続ネジ部１４に螺合固定し、この下側に位置する給水アタッチメント２０Ａのアタッチメント本体２１における上部の筒部２４外周のネジ部２５に、上側に位置する給水アタッチメント２０Ｂのアタッチメント本体２１におけるナット構造の流入口２３を取付け、また上側の給水アタッチメント２０Ｂのアタッチメント本体２１における上部の筒部２４外周のネジ部２５にはキャップ部材３を介して既設のスパウト１５を取付けたものである。
【００４１】
図３の実施例においては下側の給水アタッチメント２０Ａの環状のフランジ部２８の直上部および直下部の各止水弁配設部３０，３１にそれぞれ止水弁２９，２９を固定して用いるものであり、下側の給水アタッチメント２０Ａの接続ポート３４は水処理器に対する供給口に設定され、上側の給水アタッチメント２０Ｂの接続ポート３４は水処理器で生成された生成水の戻り口に設定される。
【００４２】
図３に示すように上下２段に一体化した各給水アタッチメント２０Ａ，２０Ｂを水栓本体２とキャップ部材３との間に取付けると、図１で示した給水パイプ１２からの原水Ｗは図３に示すように、下側の給水アタッチメント２０Ａの接続ネジ部１４内の通路１３から流入口２３に流入した後に、横孔３３および輪溝３２を介して接続ポート３４に供給され、この接続ポート３４から矢印ＯＵＴで示すようにアルカリイオン整水器などの水処理器に給水される。
【００４３】
水処理器で生成された生成水は矢印ＩＮで示すように上側の給水アタッチメント２０Ｂの接続ポート３４から輪溝３２，横孔３３を介して連通路２７に流入した後に、流出口２６からスパウト１５に流出し、使用に供することができる。
【００４４】
このように図３で示した実施例においては、上記流入口２３はナット構造に形成され、上記アタッチメント本体２１上部の筒部２４外周には上記流入口２３のナット構造に対応するネジ部２５が形成されたものである。
【００４５】
この構成によれば、同一構造の２つの給水アタッチメント２０Ａ，２０Ｂを設け、下側に位置する給水アタッチメント２０Ａの筒部２４外周のネジ部２５に、上側に位置する給水アタッチメント２０Ｂのナット構造の流入口２３を取付けると、上下２段の給水アタッチメント２０Ａ，２０Ｂを一体化することができる。
【００４６】
しかも、上記アタッチメント本体２１上部の筒部２４は流出口２６に設定され、上記流入口２３と流出口２６とを連通する連通路２７には止水弁配設部３０，３１が設けられたものである。
【００４７】
この構成によれば、上下２段構造と成した給水アタッチメント２０Ａ，２０Ｂにおいて、下側の給水アタッチメント２０Ａの連通路２７を止水弁２９にて閉鎖すると、下側に位置する給水アタッチメント２０Ａの接続ポート３４は水処理器に原水Ｗを供給する供給口となり、上側に位置する給水アタッチメント２０Ｂの接続ポート３４は水処理器で生成された生成水の戻り口となり、上側の給水アタッチメント２０Ｂの流出口２６から、浄水器用水栓１に既設の吐水パイプ（スパウト１５参照）を介して生成水を吐出流動させることができる。
【００４８】
このように、同一構造の２つの給水アタッチメント２０Ａ，２０Ｂを上下に重ね合わせて使用すると、水処理器に対する給水のみならず、水処理器で生成された生成水をスパウト１５を介して吐出することができるので、給水および取水の両機能を備えたアタッチメントを同一構造の２つの給水アタッチメント２０Ａ，２０Ｂにて構成することができ、利便性の大幅な向上を図ることができる。
【００４９】
しかも、上下の各給水アタッチメント２０Ａ，２０Ｂは同一構造であるから、これら各給水アタッチメント２０Ａ，２０Ｂの生産性の向上を図ることができる。
【００５０】
この図３で示した実施例においても、その他の構成、作用、効果については図２の実施例と同様であるから、図３において前図と同一の部分には同一符号を付して、その詳しい説明を省略するが、図３において１６はキャップ部材３をネジ部２５の取付けるためのネジ孔、１７はキャップ部材３と筒部２４との間をシールするシール部材、１８Ａはスパウト１５の基部を回動可能に取り付けるためのプラスチックリング、１８Ｂはパッキングである。さらに、図３の止水弁２９，２９を取り外し、この止水弁２９，２９に代えて上側の給水アタッチメント２０Ｂ内に残留する微小の水圧で開弁し、原水Ｗの圧力で閉弁する逆止弁を設けてもよい。  
このように逆止弁を設けると長期間の不使用時に給水アタッチメント２０Ｂ側の塩素を有さない水と、塩素を有する原水Ｗとが混ざり合って、上側の給水アタッチメント２０Ｂ内部乃至スパウト１５内において雑菌が繁殖するのを抑止することができる。
【００５１】
図４は給水アタッチメントのさらに他の実施例を示し、この図４に示す実施例においては図３で示した上側の給水アタッチメント２０Ｂと、下側の給水アタッチメント２０Ａとの間に、プラグ４０およびリング状のスペーサ４１を介設したものである。
【００５２】
上述のプラグ４０はナット構造の流入口２３のナットに螺合し得るネジ部４２と、筒部２４外周のネジ部２５に螺合し得るネジ孔４３とを備えたもので、このプラグ４０により上下のアタッチメント本体２１，２１を連結固定している。
【００５３】
また、上述のスペーサ４１はプラグ４０の外周に回動可能（３６０度回転自在）に装着したもので、このスペーサ４１の内部には環状通路４４を形成すると共に、この環状通路４４にはインレット部材４５とアウトレット部材４６とを取り付けている。
【００５４】
前述の水処理器としてアルカリイオン整水器を用いた場合、生成水の生成時、酸性水などの排水が発生するので、この排水をインレット部材４５、環状通路４４を介してアウトレット部材４６からシンクに流下させるものである。
【００５５】
このように構成すると、アルカリイオン整水器に対する給水と、アルカリイオン整水器で生成された生成水のスパウト１５からの吐水と、アルカリイオン整水器で発生する酸性水などの排水の放出とを、一箇所つまり水栓本体２とキャップ部材３との間で行うことができる。
【００５６】
この図４で示した実施例おいても、その他の構成、作用、効果については先の実施例と同様であるから、図４において前図と同一の部分には同一符号を付して、その詳しい説明を省略する。
【００５７】
図５，図６は給水アタッチメントのさらに他の実施例を示し、図３および図４で示した先の実施例においては上下の２つの給水アタッチメント２０Ｂ，２０Ａにより水処理器に対する給水と取水とを行うように構成したが、図５，図６で示すこの実施例においては単一の給水アタッチメント２０により水処理器に対する給水と取水とを行うように構成し、部品点数の削除を図ったものである。
【００５８】
すなわち、図５，図６に示すようにアタッチメント本体２１と、このアタッチメント本体２１の外周に回動可能（３６０度回転自在）に装着した外筒２２とを備え、アタッチメント本体２１の下部には浄水器用の水栓本体２の吐水用接続ネジ部１４に取付けられるナット構造の流入口２３を形成し、アタッチメント本体２１の上部にはキャップ部材３のネジ孔１６と螺合して吐水パイプとしてのスパウト１５に連通する流出口２６を形成している。
【００５９】
また、アタッチメント本体２１の外周部上下２箇所には輪溝５０，５１を離間形成し、上側の輪溝５０と流出口２６とをＬ字状の通路５２で連通する一方、下側の輪溝５１と流入口２３とをＬ字状の通路５３で連通させている。
【００６０】
さらに上述の外筒２２には、下側の輪溝５１および通路５３を介して流入口２３に連通する水処理器用の接続ポート５４を形成し、この接続ポート５４には、その内部に通路５５を有する接続部材５６を取付けている。  
ここで、上述の接続ポート５４に定量弁（図示せず）を介設し、アルカリイオン整水器などの水処理器に対してその能力以上の水量が流れ込むのを制御すべく構成してもよい。
【００６１】
同様に上述の外筒２２には、上側の輪溝５０および通路５２を介して流出口２６に連通する水処理器用の接続ポート５７を形成し、この接続ポート５７には、その内部に通路５８を有する接続部材５９を取付けている。
【００６２】
ここで、図５に平面図で示すように上述の２つの接続部材５６，５９は、水処理器に対する通路配設の簡素化を考慮して、給水アタッチメント２０のほぼ同側に位置するように取付けられている。
【００６３】
また上下の輪溝５０，５１の上下両部におけるアタッチメント本体２１の外周部と、外筒２２の内周部との間をシールすべく、アタッチメント本体２１のＯリング溝にはＯリング３７，３８，６０が篏着されている。なお、上述のアタッチメント本体２１の下端外部は、工具等を用いての着脱容易化を考慮して、図５に示すように略六角形状部２１ａに形成されている。
【００６４】
このように構成すると、図１に示した給水パイプ１２からの原水Ｗは図６に矢印で示すように接続ネジ部１４内の通路１３から流入口２３に流入した後に、通路５３および輪溝５１を介して接続ポート５４に供給され、供給口として作用するこの接続ポート５４から矢印ＯＵＴで示すようにアルカリイオン整水器などの水処理器に給水される。
【００６５】
水処理器で生成された生成水は矢印ＩＮで示すように、戻り口として作用する接続ポート５７から輪溝５０および通路５２を介して流水口２６に流入した後に、スパウト１５を通って流出されるので、使用に供することができる。
【００６６】
このように図５、図６で示した実施例の給水アタッチメントは、アタッチメント本体２１と、該アタッチメント本体２１の外周に回動可能（３６０度回動自在）に装着した外筒２２とを備えてなる給水アタッチメント２０であって、上記アタッチメント本体２１の下部には浄水器用の水栓本体２の吐水用接続ネジ部１４に取付けられる流入口２３を形成し、アタッチメント本体２１の上部には吐水パイプ（スパウト１５参照）に連通する流出口２６を形成する一方、上記外筒２２には、外筒２２の回動位置の如何にかかわらず、流入口２３と流出口２６とにそれぞれ別々に連通する水処理器用の接続ポート５４，５７が形成されたものである。
【００６７】
この構成によれば、給水アタッチメント２０を浄水器用の水栓本体２の吐水用接続ネジ部１４に取付けると、原水Ｗはアタッチメント本体２１下部の流入口２３から流入した後に、この流入口２３に連通する外筒２２の接続ポート５４から水処理器へ供給される。
【００６８】
水処理器で生成された生成水には外筒２２の他の接続ポート５７から流入し、アタッチメント本体２１上部の流出口２６を介して既設の吐水パイプ（スパウト１５参照）から吐水され、使用に供することができる。
【００６９】
このように、上述の浄水器用の水栓１（図１参照）を有効利用して水処理器に水を供給することができ、かつ水処理器にて生成された生成水を既存の吐水パイプ（スパウト１５参照）から流出することができるうえ、外筒２２を回動することにより接続ポート５４，５７の位置を任意に設定することができるので、水処理器の設置自由度の向上および接続ポート５４，５７と水処理器とを接続するホース等の通路配設の自由度の向上を図ることができる。
【００７０】
なお、図５，図６において前図と同一の部分には同一符号を付して、その詳しい説明を省略している。
【００７１】
以上要するに、上記何れの実施例にあっても、浄水器用の水栓１（図１参照）を有効利用して、アルカリイオン整水器などの水処理器に対して少なくとも水を供給することができる効果がある。  
なお、水処理器に対して水を供給するポートには定量弁を介設し、水処理器の能力をオーバーする水の供給を防止すべく構成してもよい。
【図面の簡単な説明】
【００７２】
【図１】本発明の給水アタッチメントを取付けた浄水器用水栓システムの全体図
【図２】図１の要部拡大断面図
【図３】給水アタッチメントの他の実施例を示す断面図
【図４】給水アタッチメントのさらに他の実施例を示す断面図
【図５】給水アタッチメントのさらに他の実施例を示す平面図
【図６】図５のＡ−Ａ線断面図
【図７】従来の浄水器用水栓システムを示す全体図
【符号の説明】
【００７３】
２…水栓本体
１４…吐水用接続ネジ部
１５…スパウト（吐水パイプ）
２０，２０Ａ，２０Ｂ…給水アタッチメント
２１…アタッチメント本体
２２…外筒
２３…流入口
２４…筒部
２５…ネジ部
２６…流出口
２７…連通路
３０，３１…止水弁配設部
３４，５４，５７…接続ポート
【図１】
2006009301.tif 000003
【図２】
2006009301.tif 000004
【図３】
2006009301.tif 000005
【図４】
2006009301.tif 000006
【図５】
2006009301.tif 000007
【図６】
2006009301.tif 000008
【図７】
2006009301.tif 000009